(57)【要約】【課題】ディスプレイスクリーン用アクセサリにおいて、スクリーン開口における視認領域のサイズを簡単な構成で調整できるようにする。【解決手段】このディスプレイスクリーン用アクセサリは、第１部材と、開口調整部材と、を備えている。第１部材は、使用時において、視認領域を確定するためにディスプレイスクリーンの１つ以上の縁部に整列するように調整可能なスクリーン開口を有する。開口調整部材は視認領域のサイズを調整するために第１部材と協働する。開口調整部材は、上部部材と、少なくとも１つの側部部材と、を有する。上部部材は、開口に関して上昇位置と下降位置との間で略垂直方向に移動可能であり、視認領域のサイズを調整する。側部部材は、開口に関して第１位置と第２位置との間で略水平方向に移動可能であり、視認領域のサイズを調整する。【選択図】図１１
2013011894.tif 000002
【特許請求の範囲】
【請求項１】
使用時において、視認領域を確定するためにディスプレイスクリーンの１つ以上の縁部に整列するように調整可能なスクリーン開口を有する第１部材と、
前記視認領域のサイズを調整するために前記第１部材と協働する開口調整部材と、
を備え、
前記開口調整部材は、
前記開口に関して上昇位置と下降位置との間で略垂直方向に移動可能であり、前記視認領域のサイズを調整するための上部部材と、
前記開口に関して第１位置と第２位置との間で略水平方向に移動可能であり、前記視認領域のサイズを調整するための少なくとも１つの側部部材と、
を有する、
ディスプレイスクリーン用アクセサリ。
【請求項２】
前記上部部材は前記第１部材にスライド自在に係合している、請求項１に記載のアクセサリ。
【請求項３】
前記少なくとも１つの側部部材は前記第１部材にスライド自在に係合している、請求項１に記載のアクセサリ。
【請求項４】
前記第１部材に支持され、底部によって前記開口の高さを前記第１部材とともに調整可能な第２部材をさらに備えた、請求項１に記載のアクセサリ。
【請求項５】
前記開口調整部材は前記開口を調整するための少なくとも１つの平面部材を有している、請求項１に記載のアクセサリ。
【請求項６】
前記第１部材は背面を有し、前記背面の少なくとも一部は前記第２部材の少なくとも一部に接している、請求項４に記載の用アクセサリ。
【請求項７】
前記第１部材は周縁部を有し、前記周縁部は少なくとも前記ディスプレイスクリーンを実質的に取り囲むように構成されている、請求項１に記載のアクセサリ。
【請求項８】
前記第１部材の位置は前記第２部材の一部に沿って前記第１部材をスライドさせることによって調整される、請求項４に記載のアクセサリ。
【請求項９】
前記第２部材はＵ字部を有する、請求項４に記載のアクセサリ。
【請求項１０】
前記Ｕ字部は少なくとも１つのスロットを有し、前記第２部材に対して前記開口の位置を調整するために、前記第１部材を前記スロットに沿ってガイドすることができるように構成されている、請求項９に記載のアクセサリ。
【請求項１１】
使用状態において前記スロットは実質的に垂直方向に延びている、請求項１０に記載のアクセサリ。
【請求項１２】
前記第２部材は、ケーブルが貫通可能な少なくとも１つのウインドウ、開口、または切欠き部を有する、請求項４に記載のアクセサリ。
【請求項１３】
前記開口調整部材はボルト及びナットを有し、前記ボルトは前記第２部材に形成されたスロット内に移動可能に設けられ、これにより、前記開口の位置を前記第２部材に対して調整可能である、請求項４に記載のアクセサリ。
【請求項１４】
略水平支持面上でフリースタンディング姿勢（free standing position）に前記アクセサリを支持するための支持手段をさらに備えた、請求項１に記載のアクセサリ。
【請求項１５】
前記支持手段は折り畳み可能な支持部材又は前記第２部材の底部を有する、請求項１４に記載のアクセサリ。
【請求項１６】
前記第２部材は第１部と第２部とを有し、前記第１部及び前記第２部は相対移動可能である、請求項４に記載のアクセサリ。
【請求項１７】
前記第１部は前記第２部材の中央部に取り付けられ、前記第２部は前記第１部に対して折り畳み可能である、請求項１６に記載のアクセサリ。
【請求項１８】
前記第２部は、中央部と、少なくとも２つの側部と、を有し、前記側部は前記中央部に対して所定の角度で設置されている、請求項４に記載のアクセサリ。
【請求項１９】
前記アクセサリは、装飾インディシア（indicia）、情報インディシア、娯楽インディシア、格納装置、メディア装置、電子ディスプレイの内、少なくとも１つを備えるように構成されている、請求項１に記載のアクセサリ。
【請求項２０】
前記アクセサリは、ホワイトボードまたはブラックボードとして機能するように構成された面を備える、請求項１に記載のアクセサリ。
【請求項２１】
前記アクセサリは、少なくとも１つの磁気面、透明、半透明、又は透光性の物質からなる部分を含む、請求項１に記載のアクセサリ。
【請求項２２】
前記上部部材は少なくとも１つのスロットを有し、前記スロットは、実質的に垂直方向に延びて形成され、締結部を受けるように構成されている、請求項２に記載のアクセサリ。
【請求項２３】
前記側部部材は実質的に水平方向に延びる少なくとも１つのスロットを有し、前記スロットは締結部を受けるように構成されている、請求項２２に記載のアクセサリ。
【請求項２４】
使用時において、締結部が前記上部部材と前記側部部材のスロットのそれぞれに貫通することができるように、前記上部部材及び前記側部部材が配置されている、請求項２３に記載のアクセサリ。
【請求項２５】
前記第１部材は、前記第２部材に配置されたトラックに沿ってスライド可能である、請求項４に記載のアクセサリ。
【請求項２６】
前記第１部材は、前記ディスプレイスクリーンの操作コントローラへのアクセスを提供するように構成されたアクセス開口部と、ケーブルが貫通できるように構成された開口部と、前記ディスプレイスクリーンへのリモートアクセスを提供するように構成された部分の内、少なくとも１つを有する、請求項１に記載のアクセサリ。
【請求項２７】
前記第１部材は、前記第２部材の底部に対して調整されるように配置され、これにより周縁部が前記ディスプレイスクリーンに対して整列される、請求項６に記載のアクセサリ。
【請求項２８】
前記２つの側部はヒンジ部を介して前記中央部の両側に折り曲げ自在に配置されている、請求項１８に記載のアクセサリ。
【請求項２９】
前記２つの側部は前記中央部に移動自在に取付けられている、請求項１８に記載のアクセサリ。
【請求項３０】
前記２つの側部はベース面を有し、前記ベース面はテーパ縁部を有している、請求項１８に記載のアクセサリ。
【発明の詳細な説明】
【技術分野】
【０００１】
本発明は、ディスプレイスクリーン用アクセサリに関し、特に、コンピュータモニタ用フレームまたはテレビジョン装置用フレームに関する。
【背景技術】
【０００２】
従来技術として、特許文献１に示されたようなコンピュータモニタ用アドオンアクセサリが知られている。こうしたアクセサリは、典型的にはコンピュータモニタに設置するように構成されたアンチグレアスクリーンを有する。また、コンピュータモニタにドキュメントホルダを設置するために、調整可能なクランプを使用することが知られている。
【０００３】
ここで周知の従来技術へのいかなる参照も、反対の指摘がない限り、本出願の優先日の時点において、こうした従来技術が本発明に関わる当業者に公知であることを認めるものではない。
【先行技術文献】
【特許文献】
【０００４】
【特許文献１】米国特許公報第５６６８６１２号
【発明の概要】
【発明が解決しようとする課題】
【０００５】
本発明の課題は、簡単な構成でディスプレイ用開口のサイズを調整可能なディスプレイスクリーン用アクセサリを提供することにある。
【課題を解決するための手段】
【０００６】
本発明に係るディスプレイスクリーン用アクセサリは、第１部材と、開口調整部材と、を備えている。第１部材は、使用時において、視認領域を確定するためにディスプレイスクリーンの１つ以上の縁部に整列するように調整可能なスクリーン開口を有する。開口調整部材は視認領域のサイズを調整するために第１部材と協働する。開口調整部材は、上部部材と、少なくとも１つの側部部材と、を有する。上部部材は、開口に関して上昇位置と下降位置との間で略垂直方向に移動可能であり、視認領域のサイズを調整する。側部部材は、開口に関して第１位置と第２位置との間で略水平方向に移動可能であり、視認領域のサイズを調整する。
【０００７】
第１部材に支持され、底部によって開口の高さを第１部材とともに調整可能な第２部材をさらに備えていることが好ましい。
【０００８】
第１部材は、周縁部を有し、周縁部は少なくともディスプレイスクリーンを部分的に取り囲むように構成されることが好ましい。
【０００９】
第１部材は締結部を受けるように構成された少なくとも一つの孔部を有してもよい。
【００１０】
第１部材の位置は、第１部材を第２部材に沿ってスライドさせることによって調整することが好ましい。
【００１１】
第２部材はＵ字部を有することが好ましい。
【００１２】
Ｕ字部は、少なくとも一つのスロットを有し、開口の位置を第２部材に対して調整するために、第１部材をスロットに沿ってガイドすることができるように構成されている。
【００１３】
第２部材は、ケーブルを貫通させるためのウインドウ、開口部、または切り欠き部を有してもよい。
【００１４】
アクセサリは、略水平支持面上でアクセサリをフリースタンディング姿勢（free-standing position）に支持するための支持手段をさらに備えることが好ましい。
【００１５】
支持手段は折り曲げ可能な支持部材を有してもよい。
【００１６】
支持手段は第２部材の底部を含んでもよい。
【００１７】
第２部材は、第１部と、第２部と、を有することが好ましく、第１部と第２部は相対移動可能である。
【００１８】
第１部は第２部材の中央部に取り付けられるように構成され、第２部は第１部に対して折り曲げ可能であることがさらに好ましい。
【００１９】
第２部材は、外部の力または圧力を受けた場合に折り曲げ可能な一または複数の折り曲げ線を有することが好ましい。
【００２０】
アクセサリは、装飾インディシア（indicia）、情報インディシア、娯楽インディシア、格納装置、メディア装置、電子ディスプレイの内、一または複数を備えるように構成されることが好ましい。
【００２１】
側部部材は、略水平方向に延在する少なくとも一つのスロットを有し、スロットは締結部を受けるように構成されることが好ましい。
【００２２】
締結部が上部部材と側部部材に備えられたスロットのそれぞれに貫通することができるように、上部部材と側部部材を配置可能であることがさらに好ましい。
【００２３】
本発明の他の実施形態において、第１部材は第２部材に配置されたトラックに沿ってスライド可能である。
【００２４】
第１部材は、ディスプレイスクリーンの操作コントローラへのアクセスを提供するように構成されたアクセス開口部と、ケーブルが貫通できるように構成された開口部と、ディスプレイスクリーンへのリモートアクセスを提供するように構成された部分の内、一または複数を有することが好ましい。
【００２５】
第１部材は、透明、半透明、または、透光性の物質からなる部分を有してもよい。
【発明の効果】
【００２６】
以上のような本発明によれば、スクリーン開口における視認領域のサイズを簡単な構成で調整することができる。
【図面の簡単な説明】
【００２７】
【図１】本発明の好ましい一実施形態に係るフレームの正面斜視図。
【図２】図１のフレームのフロントパネルに関する正面図。
【図３】図１のフレームのリヤパネルに関する正面斜視図であり、折り畳み形態のリヤパネルを示す図。
【図４】図１のフレームに関する正面図であり、折り畳み解除形態のフレームを示す図。
【図５】図１のフレームに関する上面図であり、折り畳み形態のフレームを示す図。
【図６】図４のＡ−Ａ線における、図１のフレームのリヤパネル中央部に関する断面図。
【図７】本発明の他の実施形態に関する概略上面図であり、第１形態のフレームを示す図。
【図８】図７のフレームに関する概略上面図であり、第２形態のフレームを示す図。
【図９】図１のフレームに関する正面斜視図であり、折り畳み解除形態のフレームを示す図。
【図１０】図１のフレームに関する背面斜視図であり、折り畳み解除形態のフレームを示す図。
【図１１】本発明の他の実施形態に係るフレームに関する正面斜視図。
【図１２】図１１のフレームのフロントパネルに関する正面図。
【図１３】図１１のフレームのリヤパネルに関する正面斜視図であり、折り畳み形態のリヤパネルを示す図。
【図１４】図１１のフレームに関する上面図であり、折り畳み形態のフレームを示す図。
【図１５】本発明の他の実施形態に係るフレームに関する概略正面図。
【図１６】図１５のフレームに関する正面図。
【発明を実施するための形態】
【００２８】
以下、図面を参照し、本発明に係る一または複数の実施形態を一例として説明する。なお、同様の参照符号は同様の部分を参照する。
【００２９】
図１〜１０は本発明に係るフレームを示す。フレーム１０は、フロントパネル１２と、リヤパネル１４と、を備える。
【００３０】
フロントパネル１２は、略矩形であり、周縁部１６と、ウインドウ１８と、を有する。なお、視聴者は、ウインドウ１８を介して、少なくともテレビジョン装置、コンピュータモニタ、またはラップトップコンピュータのディスプレイスクリーン（図示せず）の一部を視認することができる。本発明の好ましい実施形態において、ウインドウ１８は、フレーム１０が使用されるディスプレイスクリーン全体に対応するサイズ及び形状で構成されている。
【００３１】
使用時に、ウインドウ１８の位置がディスプレイスクリーンの外形に略適合するように、フロントパネル１２及びディスプレイスクリーンは略平行に配置される。
【００３２】
本発明の代替実施形態（図示せず）において、フロントパネル１２は、透明、半透明、または透光性の物質からなる部分を有する。この部分は、周縁部で画定されたウインドウの形態であってもよい。このウインドウは、コンピュータモニタ用のアンチグレアスクリーンの機能を果たすことができる。
【００３３】
図２に最も明確に示すように、フロントパネル１２は、締結部を受けるように構成された複数の孔部２０を有する。
【００３４】
リヤパネル１４は、略Ｕ字型の中央部２２と、中央部２２から外側に延在する２つの側部２４．１及び２４．２と、を有する。本発明の好ましい一実施形態において、側部２４．１及び２４．２は、中央部２２に対して角度を調整することができるように、中央部２２に移動自在に接続されている。
【００３５】
この目的のために、リヤパネル１４の中央部２２は、折り畳み線２６．１及び２６．２によって側部２４．１及び２４．２のそれぞれと分けられている。なお、図１に示すように、使用時においては、側部２４．１及び２４．２のそれぞれは、所定の角度で中央部２２から後方に延在するように折り畳むことができるように構成されている。このように、フレーム１０はディスプレイスクリーンの近傍に配置された背景物を遮断する働きをするので、ユーザに豊かな視聴体験が提供される。
【００３６】
本発明の代替実施形態（図示せず）において、側部２４．１及び２４．２は、ディスプレイスクリーンの視認を制限するために中央部２２から前方に延在するように折り曲げられる。これにより、ユーザにプライバシーが提供される。
【００３７】
保管及び移動の目的でリヤパネル１４を容易に折り畳むことができるように、中央部２２に向かって側部２４．１及び２４．２を折り畳み可能であることがより好ましい。
【００３８】
側部２４．１及び２４．２を中央部２２における対向する両側部にヒンジで設置可能であることは、当業者に当然理解される。この目的のために、本発明の技術分野で周知の任意の適したヒンジ手段を使用してもよい。
【００３９】
さらに、フレーム１０が所望の形態で側部２４．１及び２４．２を固定するための固定手段（図示せず）をさらに備えてもよいことは、当業者に当然理解される。
【００４０】
代替案として、フレーム１０は製造過程において所望の形態で製造してもよい。
【００４１】
図３に示すように、中央部２２の底部は、キーボードケーブル、及び／または、マウスケーブルが貫通可能な切り欠き部２８を有する。
【００４２】
図６に示すように、中央部２２の底面３０は、前面３２に対して１：５０の割合で傾斜している。本発明において、任意の割合を使用してもよいことは、当業者に当然理解される。
【００４３】
本発明の代替実施形態（図示せず）においては、底面３０が前面３２に対して略垂直である。
【００４４】
さらに、リヤパネル１４が図示しない一または複数の支持部材（例えば、折り畳み可能な脚部）を有しており、当該支持部材がリヤパネル１４から延在するとともに、略水平面上でリヤパネル１４をフリースタンディング姿勢（free-standing position）に支持することは、当業者に当然理解される。
【００４５】
図３に最も明確に示すように、中央部２２は、リヤパネル１４に対するフロントパネル１２の高さ調整を可能にするために、２つの略平行なスロット３４．１及び３４．２を有する。スロット３４．１及び３４．２は、中央部２２における対向する両側部に形成されている。
【００４６】
フロントパネル１２をリヤパネル１４に取り外し自在に取り付けることができるように、スロット３４．１及び３４．２は締結部３５を貫通可能なサイズ及び形状で構成されている。本発明において、任意の適した締結手段（ナット及びボルト、ベルクロ開閉部、クランプ、クリップ等）を使用してもよいことは、当業者に当然理解される。
【００４７】
これを実現するために、図５に示すように、孔部２０とスロット３４．１及び３４．２のそれぞれを略整列させることができるように、フロントパネル１２及びリヤパネル１４が略平行に重なるように配置される。この結果、締結部３５は、孔部２０を介してスロット３４内に延在することができる。締結部３５は、スロット３４における水平方向の移動が制限されるが、スロット３４に沿って垂直方向に移動可能である。ただし、スロット３４の両端部は締結部３５の動作範囲を制限する。
【００４８】
一または複数の締結部をスロット３４のそれぞれに沿ってガイドすることにより、ディスプレイスクリーンに対するフロントパネル１２の高さ調整が実現する。この結果、ウインドウ１８およびディスプレイスクリーンの位置は、垂直方向に略整列し、フロントパネル１２の周縁部１６はディスプレイスクリーンの両側面、上面、及び下面を略取り囲むように構成される。
【００４９】
図４に最も明確に示すように、側部２４．１及び２４．２の底面３６．１及び３６．２は、フレーム１０を略水平面上でフリースタンディング姿勢に支持するために、リヤパネル１４の中央部２２の縦方向に対して適切な角度（例えば、１０ｍｍ／１５０ｍｍ）で傾斜してもよい。
【００５０】
図７及び８に示すように、リヤパネル１４は、装置４０のディスプレイスクリーンを部分的または完全に取り囲むように、４つ以上の側部２４．１、２４．２、２４．３、２４．４を有してもよい。フレーム１０は、ディスプレイスクリーンを取り囲むスリーブの形態（図示せず）でもよい。さらに、フレーム１０を任意の所望の形態に折り畳み状態を解除するよう構成してもよいことは、当業者に当然理解される。
【００５１】
フレーム１０は、任意の適した材料（例えば、金属、ボール紙、プラスチック等）で形成してもよい。本発明において、適した材料を任意に組み合わせて使用してもよいことは、当業者に当然理解される。この材料からなるウインドウ部をマウスパッドとして使用してもよい。
【００５２】
フレーム１０の各面は平面でもよい。本発明の他の実施形態において、フレーム１０は、凹部、エンボス部、操作コントローラ（ボタン、ダミースイッチの形態の擬似操作コントローラを含む）等を有してもよい。
【００５３】
本発明の好ましい実施形態において、フレーム１０は、装飾インディシア（indicia）（例えば、芸術作品、３Ｄグラフィック、郵便はがき、写真）、情報インディシア（例えば、指示、安全情報）、娯楽インディシア（例えば、電子ゲーム、ゲームコントローラ、パズル）、格納装置（例えば、ＣＤホルダ、トレイ、ポケット、ドキュメントホルダ）、及び、その他の装置（例えば、スピーカ、カメラ、携帯電話ホルダ、計算機、電子ディスプレイ、照明装置等）の内、一または複数を備える。
【００５４】
フレーム１０は、ホワイトボードまたはブラックボードとして機能するように構成された面を備える。また、フレーム１０は磁気面等を備えてもよい。
【００５５】
フレーム１０は、フレームの一部に適合するように構成された、布またはプラスチック製のスリーブまたはカバーを備えてもよい。こうしたスリーブまたはカバーは、印刷されたグラフィック等を有してもよい。
【００５６】
本発明の他の実施形態では、フレーム１０はディスプレイスクリーンを取り囲む広告スペースを創出するために使用される。
【００５７】
フレーム１０は下記の通り組み立てられる。フロントパネル１２及びリヤパネル１４は、孔部２０がスロット３４と整列するように重ねて配置される。図５に示すように、締結部３５は孔部２０を介してスロット３４内に延在する。締結部３５はスロット３４のそれぞれに沿ってガイド可能である。ディスプレイスクリーンに対するフロントパネル１２の高さ調整は、リヤパネル１４の前面３２に対してパネル１２を上下にスライドさせることにより実現する。そして、フロントパネル１２をリヤパネル１４に固定するために、締結部３５が締め付けられる。ディスプレイスクリーンに対するフレーム１０の長手方向の位置は、フレーム１０を略水平方向に移動させることにより調整される。
【００５８】
図１１〜１４は、本発明の他の実施形態に係るフレーム１００を示す。前述のフレーム１０と同様に、他の実施形態に係るフレーム１００は、フロントパネル１２０と、リヤパネル１４０と、を備える。なお、フロントパネル１２０は、ウインドウ１８０と、複数の孔部２００と、を有する。また、リヤパネル１４０は中央部２２０を有し、中央部２２０にはスロット３４０．１及び３４０．２と、側部２４０．１及び２４０．２と、が備えられている。
【００５９】
図１１及び１２に最も明確に示すように、フロントパネル１２０は、締結部を受けるように構成された複数の第２の孔部２１０．１、２１０．２、２１０．３、２１０．４を有する。これらの第２の孔部は、フロントパネル１２０における対向部分に沿って略水平に２列に配置さている。
【００６０】
フレーム１００は、さらに矩形の上部平面部材３１０を有する。上部平面部材３１０は、対向する両端部に形成された２つのスロット３００．１及び３００．２を有する。スロット３００．１及び３００．２は、締結部が貫通可能なサイズ及び形状で構成されている。
【００６１】
ウインドウ１８０に対する上部平面部材３１０の位置は、フロントパネル１２０の背面に対して上部平面部材３１０を上下にスライドさせることによって調整可能である。上部平面部材３１０が必要な位置に配置された場合、上部平面部材３１０を当該位置に固定するために、締結部が締め付けられる。結果として、フレーム１００の視聴領域の高さＨを調整することができる。
【００６２】
図１１に最も明確に示すように、フレーム１００は、さらに２つの側部部材４００．１及び４００．２を備える。側部部材４００．１は一組のスロット４１０．１及び４１２．１を有し、側部部材４００．２は一組のスロット４１０．２及び４１２．２を有する。スロット４１０．１及び４１０．２は、スロット３００．１及び３００．２と同一径の締結部を受けるサイズで構成され、使用時に、スロット３００及び４１０が互いに略垂直になるように構成されている。
【００６３】
ウインドウ１８０に対する側部部材４００．１及び４００．２の位置は、上記方法と同様に調整される。すなわち、側部部材４００．１及び４００．２を略水平方向にスライドさせることによって調整される。側部部材４００．１及び４００．２が所望の位置に配置された場合、側部部材４００．１及び４００．２を当該位置に固定するために、締結部が締め付けられる。結果的に、フレーム１００の視聴領域の幅Ｗを調整することができる。
【００６４】
上記の結果として、アクセサリ１００をコンピュータモニタスクリーンまたはテレビジョンセットスクリーンの多様なサイズに適合するように調整することができる。
【００６５】
図１５及び１６は、本発明の他の実施形態に係るフレーム５００を示す。前述のフレーム１０及び１００と同様に、フレーム５００は、フロント部材５１０と、リヤ部材５１４と、を備える。なお、フロント部材５１０はウインドウ５１２を有し、リヤ部材５１４は複数の折り曲げ可能な側部５１６．１、５１６．２、５１６．３、５１６．４を有する。
【００６６】
アクセスドア５１８は、ウインドウ５１２の下方に配置されており、テレビジョンセットまたはコンピュータモニタの操作コントローラへのアクセスを提供するように構成されている。図１５に最も明確に示すように、遠隔制御装置による各ホストとの通信を可能にするために、アクセスドア５１８には開口部５１９が備えられている。また、フロント部材５１０は、ケーブルが貫通可能な複数の開口部５２０を有する。
【００６７】
フロント部材５１０の垂直位置は、ウインドウ５１２における対向側部上に位置する２つのトラック５２２．１及び５２２．２に沿ってフロント部材５１０をスライドさせることにより調整される。
【００６８】
図１６に示すように、フレーム５００は、フロント部材５１０の空洞または開口部を塞ぐようなサイズ及び形状で構成されたインフィル５２４．１及び５２４．２をさらに備える。
【００６９】
フレーム１００と同様に、フレーム５００は、視聴領域のサイズを調整するための第２パネル５２６をさらに備えてもよい。
【００７０】
用語「備えている（comprising）」が明細書中で使用される場合、［開放型（open）」の意味、即ち「有している（including）」の意味で理解すべきであり、［閉鎖型（closed）」の意味、即ち「のみで構成される（consisting only of）」の意味に限定すべきではない。対応する用語「備える（comprise）」、「備えられた（comprised）」、及び「備える（comprises）」が記載される場合、対応する意味がこれらの用語に属することになる。
【００７１】
当然のことながら、ここで開示され定義された本発明は、上述の、または、テキストから明白な個々の特徴の二つ以上のすべての代替的な組み合わせまで拡大して適用される。こうした異なる組み合わせのすべてが本発明の多様な代替態様を構成する。
【００７２】
上記では本発明に関する特定の実施形態について記載したが、本発明が本質的な特徴から逸脱することなく、他の具体的な形態で具体化可能であることは当業者に自明である。したがって、本実施形態及び実施例はあらゆる点で一例に過ぎず、限定するものではないと考えるべきであり、これにより、当業者に自明のあらゆる修正がそこに含まれることが意図される。
【符号の説明】
【００７３】
１０，１００，５００  フレーム
１２，１２０  フロントパネル
１４，１４０  リヤパネル
１６  周縁部
１８，１８０，５１２  ウインドウ（開口）
２０，２００  孔部
２２，２２０  中央部
２４．１，２４．２，２４０．１，２４０．２，５１６．１，５１６．２，５１６．３，５１６．４  側部
２６．１，２６．２  折り畳み線
２８  切り欠き部
３４．１．３４．２，３４０．１，３４０．２  スロット
３５  締結部
３１０  上部平面部材
３００．１，３００．２  スロット３００．１及び３００．２
４００．１，４００．２  側部部材
４１０．１，４１０．２  スロット
５１０  フロント部材
５１４  リヤ部材
５１８  アクセスドア
５１９，５２０  開口部
５２２．１，５２２．２  トラック
【図１】
2013011894.tif 000003
【図２】
2013011894.tif 000004
【図３】
2013011894.tif 000005
【図４】
2013011894.tif 000006
【図５】
2013011894.tif 000007
【図６】
2013011894.tif 000008
【図７】
2013011894.tif 000009
【図８】
2013011894.tif 000010
【図９】
2013011894.tif 000011
【図１０】
2013011894.tif 000012
【図１１】
2013011894.tif 000013
【図１２】
2013011894.tif 000014
【図１３】
2013011894.tif 000015
【図１４】
2013011894.tif 000016
【図１５】
2013011894.tif 000017
【図１６】
2013011894.tif 000018